【事件の表示】
　平成１１年特許願第　９６７４１号「画像表示制御システム、画像表示システム制御方法」拒絶査定不服審判事件〔平成１２年　９月１４日出願公開、特開２０００−２５０５００〕について、次のとおり審決する。
【結　論】
　本件審判の請求は、成り立たない。
【理　由】
１　手続の経緯
　平成１１年　２月２６日　特許出願　
　平成１１年　４月２１日　手続補正書　
　平成１８年　２月１７日　手続補正書　
　平成２０年　１月２２日　拒絶理由通知（同年１月２８日発送）　
　平成２０年　３月１４日　意見書・手続補正書　
　平成２０年　７月２３日　拒絶査定（同年７月２８日送達）　
　平成２０年　８月２７日　本件審判請求、手続補正書　
　平成２２年　２月１８日　審尋（同年２月２２日発送）　
　平成２２年　３月１８日　回答書
　平成２２年　７月１２日　補正の却下の決定（平成２０年８月２７日付け手続補正）、拒絶理由通知（同年７月１６日発送。以下「当審拒絶理由通知」という。）
　平成２２年　８月２７日　意見書・補正書
　
２　当審拒絶理由の理由の概要
　当審拒絶理由通知で通知した拒絶の理由の概要は以下のとおりである。
　
「理由
　
　拒絶理由（その２）　
　この出願の請求項１〜５に係る発明は、その出願前日本国内において頒布された下記の刊行物に記載された発明に基いて、当業者が容易に発明をすることができたものであるから、特許法第２９条第２項の規定により特許を受けることができない。
　
　刊行物Ａ：特開平４−３１４２８２号公報
　刊行物Ｂ：特開平４−３１３９７９号公報
　刊行物Ｃ：特開平５−９１４９１号公報
　
　上記刊行物Ａ〜Ｃの何れにも、映像信号同期信号の期間を利用して複数チャンネルの音声信号を重畳して伝送する技術が開示されている。…、本願発明１〜５は、上記刊行物Ａ〜Ｃのそれぞれに記載された発明と周知の技術手段に基いて当業者が容易に発明をすることができたものである。」
　
３　本願発明
　本願の請求項１〜５に係る発明は、平成２２年８月２７日付け手続補正により補正された特許請求の範囲の請求項１〜５に記載された事項により特定されるとおりのものであるところ、請求項１には以下のとおり記載されている。
　
「　少なくとも１組の映像信号と複数チャンネルの音響信号とを含む信号を出力する供給源と、前記供給源に接続されている画像表示部とを備える画像表示制御システムであって、
　前記信号は一対の信号線により伝送され、
　前記供給源は、
　前記複数チャンネルの音響信号を、それぞれ位相を異ならせて、前記映像信号の水平ブランキング期間に重畳することにより、前記映像信号と前記複数チャンネルの音響信号とを多重化する多重化手段と、
　前記多重化手段で多重化した多重化信号を出力する出力手段とを含み、
　前記画像表示部は、
　前記出力手段より出力される多重化信号を入力する入力手段と、
　前記入力手段で入力した多重化信号を対応する映像信号及び音響信号に復元する復元手段と、
　前記復元手段で復元した映像信号に基づく映像を表示する表示手段と、
　前記復元手段で復元した複数チャンネルの音響信号に対応して音響出力する複数の音響出力手段と
　を備えることを特徴とする画像表示制御システム。」（以下「本願発明」という。）
　
４　当審の判断
４−１　刊行物およびその記載事項
　当審拒絶理由通知で引用され、本願の出願前に日本国内において頒布された刊行物Ｃ（特開平５−９１４９１号公報）には、図面とともに、以下の事項が記載されている。
　
ア　「【０００１】
【産業上の利用分野】本発明は、ディジタルオ−ディオデ−タ等のディジタルデ−タをディジタルビデオ信号に重畳しシリアルデ−タに変換して伝送する装置に係り、特に、複数チャネルのディジタルオ−ディオデ−タをディジタルビデオ信号とともに伝送するのに好適なディジタル信号伝送装置に関する。」
　
イ　「【０００２】
【従来の技術】…。
【０００３】ところで、近年では、ディジタルＶＴＲが開発されたことにも影響されて、最大４チャネルのディジタルオ−ディオ信号の時分割多重信号が重畳されたディジタルビデオ信号をシリアルデータ伝送するシリアル・ディジタル・インタフェ−ス規格がＳＭＰＴＥ（ソサイアティ・オブ・モ−ションピクチャ−・アンド・テレビジョンエンジニアズ）から提案されている。これは、ディジタルビデオ信号の水平及び垂直同期エリアにディジタルオ−ディオ信号の時分割多重信号を間欠的に挿入してシリアルデ−タ伝送する方式である。これによると、ディジタルビデオ信号と最大４チャネルのディジタルオ−ディオ信号とを１本の伝送路で伝送することが可能となる。」
　
ウ　「【０００４】
【発明が解決しようとする課題】上記したようなシリアルインタフェ−ス方式では、通常、受信されたシリアルデ−タがパラレルデ−タに変換され、しかる後、このパラレルデータからディジタルオ−ディオデ−タが分離抽出される。そして、この抽出されたディジタルオ−ディオデ−タは、間欠的なデータであるので、時間軸処理されて時間軸上で連続した信号となる。この時間軸処理は、例えば、上記のパラレルデ−タでのディジタルビデオ信号のサンプル周波数で、上記のディジタルオ−ディオデ−タがメモリにフィ−ルド或いはフレ−ム単位（１フィ−ルド或いは１フレ−ム毎にメモリアドレスのリセットを行なう）で書き込こまれ、受信された上記のディジタルオ−ディオデ−タのチャネル数ｎに応じた周波数で、メモリからフィ−ルド或いはフレ−ム単位で読み出されることにより、行なわれる。このような処理によると、任意のチャネル数のディジタルオ−ディオ信号が伝送可能である。
【０００５】ところで、伝送の途中でディジタルオーデイオ信号のチャンネル数が変更されることもある。このような変更がメモリの書込み単位であるフィールド或いはフレームの区切で行なわれるならば、メモリの読出しリセットに同期してメモリの読出しクロツクの周波数を新たなディジタルオーディオ信号のチャンネル数に応じて変更することができ、これにより、各チャンネルにデータの過不足がなく、また、元のデータ列でディジタルオーディオ信号の時分割多重信号が得られる。
【０００６】しかし、ディジタルオ−ディオ信号のチャネル数の変更がフィ−ルド或いはフレ−ムの途中である場合には、このチャネル数の変更時点で上記のようなメモリの読出しクロツクの周波数の変更ができないため、そのフィ−ルド或いはフレ−ム内では、ディジタルオ−ディオ信号のチャネル数の変更後も、変更前のチャネル数に応じた周波数の読出しクロツクでメモリからディジタルオーディオ信号が読み出されることになる。従って、この期間に読み出された各ディジタルオーディオ信号のサンプル周波数は元のものと異なっており、この部分がデイジタル／アナログ変換されるときには、デ−タの過不足が生じてノイズが発生することになる。
【０００７】本発明の目的は、かかる問題を解消し、フィ−ルド或いはフレ−ムの途中でディジタルデ−タのチャネル数が変更されても、ノイズの発生を防止することができるようにしたディジタル信号伝送装置を提供することにある。」　
　
エ　「【０００９】
【作用】送信系では、ｎチャンネルのディジタルデータ信号が時分割多重されてディジタルビデオ信号に合うように間歇時分割多重信号とされ、該間歇時分割多重信号が該ディジタルビデオ信号に時間軸多重されて伝送される。
【００１０】受信系では、受信された該デイジタルビデオ信号から該間歇時分割多重信号が分離され、上記第６の手段での書込み、読出しによって元の時間軸の時分割多重信号を得るようにするものであるが、この第６の手段での読出しが上記第７の手段によって制御される。…。」
　
オ　「【００１１】
【実施例】以下、本発明の実施例を図面によって説明する。図１、図２は本発明によるディジタル信号伝送装置の一実施例を示すブロック図であるが、まず、図２により、その送信系について説明する。但し、同図において、１０は同期検出回路、１１はタイミング発生回路、１２、１３はデータセレクタ、１４は分割処理回路、１５は時間軸処理回路、１６はパラレル／シリアル変換回路、１７はラインドライブ回路、１６０、１７０、１８０、１９０、２００と入力端子、２１０は出力端子である。
【００１２】図２において、ここでは、ディジタルビデオ信号に多重されて伝送されるディジタルオーディオ信号の最大チャンネル数は４チャンネルとする。入力端子１６０からはビット数ｎ２のパラレルディジタルビデオ信号が入力され、入力端子１７０、１８０、１９０、２００から夫々チャネル１（ＣＨ１）、チャネル２（ＣＨ２）、チャネル３（ＣＨ３）、チャネル４（ＣＨ４）のパラレルディジタルオーディオ信号が入力される。これらディジタルオーディオ信号のビット数はｎ２とする。
【００１３】入力端子１６０から入力されたパラレルディジタルビデオ信号は同期検出回路１０とデ−タセレクタ回路１２とに供給される。同期検出回路１０では、供給されたディジタルビデオ信号から水平同期信号と垂直同期信号とが検出され、これらよってフレ−ム周期のフレ−ムパルス信号（図４（ａ））とライン周期のラインパルス信号（図４（ｂ））とが生成されて出力される。これらフレ−ムパルス信号とラインパルス信号はタイミング発生回路１１に供給される。
【００１４】タイミング発生回路１１は、これらフレ−ムパルス信号とラインパルス信号により、入力端子１７０、１８０、１９０、２００夫々から入力される各チャンネルのディジタルオーディオ信号（ここでは、チャネル１（ＣＨ１）、チャネル２（ＣＨ２）、チャネル３（ＣＨ３）、チャネル４（ＣＨ４）の４つのディジタルオーディオ信号が入力されているものとする）の１つを指定するチャネル指定信号ＣＨＭ、ＣＨＬを形成して出力する。チャネル指定信号ＣＨＭはこれらディジタルオーディオ信号のサンプル周波数ＦＳに等しい周波数の信号であり、チャネル指定信号ＣＨＬはこれらディジタルオーディオ信号のサンプル周波数ＦＳの１／２倍の周波数の信号である。これらチャンネル指示信号ＣＨＭ、ＣＨＬのレベル（ＨＩＧＨレベル“Ｈ”、ＬＯＷレベル“Ｌ”）に応じて、次のようにディジタルオーディオ信号のチャンネルが指示される。
ＣＨＭ：“Ｌ”、ＣＨＬ：“Ｌ”のとき、チャネル１（ＣＨ１）
ＣＨＭ：“Ｌ”、ＣＨＬ：“Ｈ”のとき、チャネル２（ＣＨ２）
ＣＨＭ：“Ｈ”、ＣＨＬ：“Ｌ”のとき、チャネル３（ＣＨ３）
ＣＨＭ：“Ｈ”、ＣＨＬ：“Ｈ”のとき、チャネル４（ＣＨ４）。
【００１５】タイミング発生回路１１は、また、同期検出回路１０からのフレ−ムパルス信号とラインパルス信号により、時間軸処理回路１５におけるメモリの書込みリセット信号ＲＳＴ−Ｗ（図４（ｃ））、読出しリセット信号ＲＳＴ−Ｒ（図４（ｄ））、及びディジタルビデオ信号の水平同期期間内の時間軸圧縮されたディジタルオ−ディオ信号が挿入されるべきエリアを示す挿入エリア指示信号ＳＥＬ１（図３（ｇ））を形成する。書込みリセット信号ＲＳＴ−Ｗ、読出しリセット信号ＲＳＴ−Ｒは時間軸処理回路１５に供給され、挿入エリア指示信号ＳＥＬ１はデ−タセレクタ１２と時間軸処理回路１５と供給される。
【００１６】入力端子１７０、１８０、１９０、２００から入力される各チャンネルのディジタルオ−ディオ信号のサンプリングクロツクは周波数がＦＳと等しく、位相が同期しており、デ−タセレクタ１３は、タイミイング発生回路１１からのチャネル指定信号ＣＨＭ、ＣＨＬにより、サンプル周波数ＦＳの４倍の周波数で、図３（ａ）、（ｂ）、（ｃ）に示すように、チャネル１、２、３、４の順に繰り返しデイジタルオーディオ信号を選択し、これらチャネル１、２、３、４のデイジタルオーディオ信号がサンプルデータ単位で時分割多重された時分割多重信号を形成する。この時分割多重信号では、１／ＦＳの周期毎にチャネル１、２、３、４のデイジタルオーディオ信号のサンプリングデータが１つずつ配列される。この時分割多重信号はタイミング発生回路１１からのチャネル指定信号ＣＨＭ、ＣＨＬが付加され、ビット数（ｎ１＋２）の時分割多重信号ＡＵＤ１（図３（ｃ））として分割処理回路１４に供給される。
【００１７】分割処理回路１４では、かかる時分割多重信号ＡＵＤ１にパリティビットなどの冗長ビットが付加されて、入力端子１６０から入力されるディジタルビデオ信号のビット数ｎ２の整数倍のビット数とされ、しかる後、各サンプルデータがこのディジタルビデオ信号のビット数ｎ２ずつに分割される。図３（ｄ）はこのようにして得られた時分割多重信号ＡＵＤ２を示すが、ここでは、冗長ビットを付加された時分割多重信号ＡＵＤ１のビット数はディジタルビデオ信号のビット数ｎ２の３倍としており、かかる時分割多重信号ＡＵＤ１の各サンプルデータを３つに分割する場合を示している。このようにしてディジタルビデオ信号に等しいビット数ｎ２の時分割多重信号ＡＵＤ２が得られる。
【００１８】分割処理回路１４から出力されるかかる時分割多重信号ＡＵＤ２（図３（ｄ））は時間軸処理回路１５に供給される。時間軸処理回路１５は、例えば、メモリで構成されており、タイミング発生回路１１からの書込みリセット信号ＲＳＴ−Ｗに基づいてメモリへの時分割多重信号ＡＵＤ２の書込みを開始し、同じくタイミング発生回路１１からの読出しリセット信号ＲＳＴ−Ｒに基づいてメモリからの時分割多重信号ＡＵＤ２の読出しを開始する。この場合、書込みリセット信号ＲＳＴ−Ｗはディジタルオ−ディオ信号のサンプル周波数ＦＳに同期しており、時分割多重信号ＡＵＤ２におけるチャネル１（ＣＨ１）のディジタルオ−ディオ信号のサンプルデ−タから順にこのサンプル周波数ＦＳの１２倍の周波数でメモリに書き込まれる。そして、ディジタルビデオ信号のサンプル周波数Ｖｃｋに同期し、例えば書込みリセット信号ＲＳＴ−Ｗに対して１ライン分遅延れた読出しリセット信号ＲＳＴ−Ｒのタイミングを時間基準として、タイミング発生回路１１から出力される挿入エリア指示信号信号ＳＥＬ１の“Ｈ”期間、ディジタルビデオ信号のサンプル周波数Ｖｃｋと同じ周波数でメモリからほぼ１ライン分の時分割多重信号を読み出す。つまり、このメモリには順次時分割多重信号ＡＵＤ２が書き込まれるが、挿入エリア指示信号信号ＳＥＬ１の“Ｈ”期間毎にディジタルビデオ信号のサンプル周波数Ｖｃｋと同じ周波数でほぼ１ライン分のビツト数ｎ２のサンプルデータずつ時分割多重信号の読出しが行なわれる。これにより、時分割多重信号ＡＵＤ２のほぼ１ライン分ずつのサンプルデータは順次挿入エリア指示信号ＳＥＬ１の“Ｈ”期間が指示する入力ディジタルビデオ信号の水平同期エリアの所定期間内に時間軸圧縮され、このように時間軸圧縮されて間欠的となった時分割多重信号（間欠時分割多重信号）ＡＵＤ３が得られる。図３（ｅ）はこの間欠時分割多重信号ＡＵＤ３の一部を示している。
【００１９】時間軸処理回路１５から出力される間欠時分割多重信号ＡＵＤ３はデ−タセレクタ１２に供給される。このデ−タセレクタ１２は、通常、入力端子１６０からの入力ディジタルビデオ信号を選択して出力しているが、タイミング発生回路１１からの出力挿入エリア指示信号ＳＥＬ１が“Ｈ”になると、時間軸処理回路１５からの間欠時分割多重信号ＡＵＤ３を選択して出力する。これにより、間欠時分割多重信号ＡＵＤ３は入力ディジタルビデオ信号の水平同期エリアの挿入エリア指示信号ＳＥＬ１で指示される所定期間内に挿入され、図３（ｈ）に示すように、入力ディジタルビデオ信号に時分割多重信号が挿入された多重信号ＤＡＴＡが得られる。
【００２０】この出力多重信号ＤＡＴＡは、パラレル／シリアル変換回路１６に供給され、ビツト数ｎ２の各サンプルデータが例えば最下位ビットから１ビット単位で出力されるシリアルデ−タに変換され、ラインドライブ回路１７を介して出力端子２１０から出力されて伝送される。…」
　
カ　「【００２１】次に、図１により、この実施例の受信系について説明する。但し、同図において、１はシリアル／パラレル変換回路、２は同期検出回路、３はタイミング発生回路、４はメモリコントロール回路、５はオーディオ／ビデオ分離回路、６は３サンプル合成回路、７はメモリ、８はオーディオデータ処理回路、９はオーディオチャンネル分割回路、１００は入力端子、１１０、１２０、１３０、１４０、１５０は出力端子である。
【００２２】図１において、入力端子１００から入力される受信シリアルデ−タはシリアル／パラレル変換回路１に供給され、図２のデ−タセレクタ１２で得られるディジタルビデオ信号とディジタルオーディオ信号とが時分割多重されてなるビット数ｎ２の多重信号ＤＡＴＡ（図３（ｈ））に相当するパラレルの多重信号ＤＡＴＡ´が形成される。この多重信号ＤＡＴＡ´はオ−ディオ／ビデオ分離回路５と同期検出回路２とに供給される。
【００２３】同期検出回路２は多重信号ＤＡＴＡ´から水平、垂直同期信号を検出し、タイミング発生回路３に供給する。タイミング発生回路３は、これら水平、垂直同期信号に基づいて、ディジタルオ−ディオデータのサンプル周波数ＦＳに等しい周波数の信号（以下、ＦＳ信号という）、このＦＳ信号の２倍の周波数の信号（以下、２ＦＳ信号という）、このＦＳ信号の４倍の周波数の信号（以下、４ＦＳ信号という）、この４ＦＳ信号の整数倍の周波数の読出しクロックＡｃｋ、及び図２のタイミング発生回路１１で生成される上記挿入エリア指示信号ＳＥＬ１に相当し、シリアル／パラレル変換回路１から出力される多重信号ＤＡＴＡ´でのディジタルオーディオ信号等の間欠時分割多重信号の挿入期間を指示する挿入エリア指示信号ＳＥＬ１´を生成する。ＦＳ信号、２ＦＳ信号、４ＦＳ信号及び読出しクロックＡｃｋはメモリコントロ−ル回路４に供給され、また、４ＦＳ信号はオ−ディオデ−タ処理回路８に、挿入エリア指示信号ＳＥＬ１´はオーディオ／ビデオ分離回路５に夫々供給される。
【００２４】オーディオ／ビデオ分離回路５では、挿入エリア指示信号ＳＥＬ１´により、シリアル／パラレル変換回路１からの多重信号ＤＡＴＡ´からサンプル周波数がＶｃｋでビット数ｎ２のディジタルビデオ信号と同じくサンプル周波数がＶｃｋでビット数ｎ２の間欠時分割多重信号とに分離される。このとき、ディジタルビデオ信号では、間欠時分割多重信号が挿入されていたエリアに元のデ−タ（ここでは、この挿入エリアは水平同期信号内のエリアであるから、そのエリアに水平同期信号のレベルのデ−タ）が置き換えされる。このディジタルビデオ信号は出力端子１１０から外部に出力される。
【００２５】一方、オーディオ／ビデオ分離回路５で分離された間欠時分割多重信号は３サンプル合成回路６に供給され、ビット数ｎ２のサンプルデータを３つずつ合成してビット数が元の（ｎ１＋２）でサンプル周波数がＶｃｋ／３の間欠時分割多重信号が形成される。この３サンプル合成回路６からの出力される間欠時分割多重信号はメモリ７で時間軸処理され、図２の分割処理回路１４に入力される時分割多重信号ＡＵＤ１と同様のビット数（ｎ１＋２）の時間軸上で連続した時分割多重信号が得られるが、以下、この時間軸処理動作について説明する。
…
【００３０】メモリ７から出力される時分割多重信号はオーディオデータ処理回路８に供給される。このオーディオデータ処理回路８は、供給される時分割多重信号でのディジタルオーディオ信号のチャンネル数を判定し、この判定結果に応じたイネーブルゲート信号ＧＰを形成してメモリコントロール回路４に送り、読出しイネーブル信号ＲＥの周波数をこのディジタルオーディオ信号のチャンネル数に応じて制御し、このチャンネル数に変化があってもメモリ７から各チャンネルのディジタルデータが正しく読み出されるようにする。
【００３１】オーディオデータ処理回路８から出力される後述の時分割多重信号ＡＵＤ２´はオーディオチヤンネル分離回路９に供給され、それに付加されているチャンネル指示信号ＣＨＭ、ＣＨＬにより、ディジタルオーディオデータがチャンネル毎に分離され、夫々のチャンネルのサンプル周波数ＦＳ、ビット数ｎ１のディジタルオーディオ信号が別々に得られる。そして、チャネル１（ＣＨ１）のディジタルオーディオ信号は出力端子１２０から、チャネル２（ＣＨ２）のディジタルオーディオ信号は出力端子１３０から、チャネル３（ＣＨ３）のディジタルオーディオ信号は出力端子１４０から、チャネル４（ＣＨ４）のディジタルオーディオ信号出力端子１５０から夫々出力される。」
　
キ　「【図面の簡単な説明】
【図１】本発明によるディジタル信号伝送装置の一実施例の受信系を示すブロック図である。
【図２】本発明によるディジイタル信号伝送装置の一実施例の送信系を示すブロック図である。
【図３】図１に示した送信系の動作説明のための各部信号のタイミング図である。
【図４】ディジタルビデオ信号のフレームパルス、ラインパルスと、図２における時間軸処理回路でのメモリのリセットパルス、図１におけるメモリのリセットパルスを示すタイミング図である。
【図５】図１におけるメモリコントロール回路とオーディオデータ処理回路との一具体例を示すブロック図である。
【図６】チャンネル数に変更がないときの図５に示した具体例の動作を示すタイミング図である。
【図７】チャンネル数に変更があるときの図５に示した具体例の一動作例を示すタイミング図である。
【図８】チャンネル数に変更があるときの図５に示した具体例の他の動作例を示すタイミング図である。
【図９】チャンネル数に変更があるときの図５に示した具体例のさらに他の動作例を示すタイミング図である。」
　
ク　図３（ｃ）〜（ｅ）から、各チャンネルのデジタルオーディオ信号（ＣＨ１、ＣＨ２、ＣＨ３、ＣＨ４）が、それぞれ位相を異ならせて多重化されることが看取できる。　
　
４−２　引用発明の認定
４−２−１　刊行物Ｃに記載された事項の検討　
ア　「【００１１】【実施例】以下、本発明の実施例を図面によって説明する。図１、図２は本発明によるディジタル信号伝送装置の一実施例を示すブロック図であるが、まず、図２により、その送信系について説明する。」との記載、「【図面の簡単な説明】【図１】本発明によるディジタル信号伝送装置の一実施例の受信系を示すブロック図である。【図２】本発明によるディジイタル信号伝送装置の一実施例の送信系を示すブロック図である。」との記載から、送信系と受信系からなるディジタル信号伝送装置が開示されている。
　また、「【０００９】【作用】送信系では、ｎチャンネルのディジタルデータ信号が時分割多重されてディジタルビデオ信号に合うように間歇時分割多重信号とされ、該間歇時分割多重信号が該ディジタルビデオ信号に時間軸多重されて伝送される。」との記載と、「【００１２】図２において、ここでは、ディジタルビデオ信号に多重されて伝送されるディジタルオーディオ信号の最大チャンネル数は４チャンネルとする。」との記載から、デジタルビデオ信号と４チャンネルのデジタルオーディオ信号とを含む多重信号を出力する送信系が開示されている。
　そして、従来の技術の説明における「【０００３】…、ディジタルビデオ信号と最大４チャネルのディジタルオ−ディオ信号とを１本の伝送路で伝送することが可能となる。」との記載と、「【０００６】…、ディジタルオ−ディオ信号のチャネル数の変更がフィ−ルド或いはフレ−ムの途中である場合には、…、デ−タの過不足が生じてノイズが発生することになる。【０００７】本発明の目的は、かかる問題を解消し、フィ−ルド或いはフレ−ムの途中でディジタルデ−タのチャネル数が変更されても、ノイズの発生を防止することができるようにしたディジタル信号伝送装置を提供することにある。」との記載から、フィールド或いはフレーム途中でのオーディオ信号のチャネル数変更に起因するノイズ防止を課題としており、ディジタルビデオ信号と最大４チャネルのディジタルオ−ディオ信号を１本の伝送路で伝送することは、刊行物Ｃにおける、従来の技術、実施例に共通する構成であることが読み取れる。
　してみると、刊行物Ｃには、デジタルビデオ信号と４チャンネルのデジタルオーディオ信号とを含む多重信号を出力する送信系と受信系からなるディジタル信号伝送装置が開示されており、また、前記多重信号は、１本の伝送路で伝送されることが開示されている。
　
イ　「【００１２】図２において、ここでは、ディジタルビデオ信号に多重されて伝送されるディジタルオーディオ信号の最大チャンネル数は４チャンネルとする。入力端子１６０からはビット数ｎ２のパラレルディジタルビデオ信号が入力され、入力端子１７０、１８０、１９０、２００から夫々チャネル１（ＣＨ１）、チャネル２（ＣＨ２）、チャネル３（ＣＨ３）、チャネル４（ＣＨ４）のパラレルディジタルオーディオ信号が入力される。」との記載から、入力端子１６０にディジタルビデオ信号が入力され、入力端子１７０、１８０、１９０、２００に夫々チャネル１（ＣＨ１）、チャネル２（ＣＨ２）、チャネル３（ＣＨ３）、チャネル４（ＣＨ４）のディジタルオーディオ信号が入力されることが読み取れる。そして、上記アと併せると、刊行物Ｃには、ディジタルビデオ信号が入力されるディジタル信号伝送装置の送信系の入力端子１６０と、夫々チャネル１（ＣＨ１）、チャネル２（ＣＨ２）、チャネル３（ＣＨ３）、チャネル４（ＣＨ４）のディジタルオーディオ信号が入力されるディジタル信号伝送装置の送信系の入力端子１７０、１８０、１９０、２００が開示されている。
　
ウ　「【００１６】入力端子１７０、１８０、１９０、２００から入力される各チャンネルのディジタルオ−ディオ信号のサンプリングクロツクは周波数がＦＳと等しく、位相が同期しており、デ−タセレクタ１３は、タイミイング発生回路１１からのチャネル指定信号ＣＨＭ、ＣＨＬにより、サンプル周波数ＦＳの４倍の周波数で、図３（ａ）、（ｂ）、（ｃ）に示すように、チャネル１、２、３、４の順に繰り返しデイジタルオーディオ信号を選択し、これらチャネル１、２、３、４のデイジタルオーディオ信号がサンプルデータ単位で時分割多重された時分割多重信号を形成する。」との記載から、データセレクタ１３は、チャネル１、２、３、４の順に繰り返しデイジタルオーディオ信号を選択し、サンプルデータ単位で時分割多重された時分割多重信号を形成することが開示されている。
　そして、「【００１６】…この時分割多重信号では、１／ＦＳの周期毎にチャネル１、２、３、４のデイジタルオーディオ信号のサンプリングデータが１つずつ配列される。」との記載から、１／ＦＳの周期離れて配列されるサンプリングデータは、互いに位相が異なっていると言える。そうすると、チャネル１、２、３、４のデイジタルオーディオ信号のサンプリングデータは、１／ＦＳの周期ずつ位相が異なっていることが開示されている。
　また、「【００１６】…この時分割多重信号はタイミング発生回路１１からのチャネル指定信号ＣＨＭ、ＣＨＬが付加され、ビット数（ｎ１＋２）の時分割多重信号ＡＵＤ１（図３（ｃ））として分割処理回路１４に供給される。」との記載から、チャネル指定信号ＣＨＭ、ＣＨＬが付加され、時分割多重信号ＡＵＤ１として分割処理回路に供給されることが開示されている。
　してみると、刊行物Ｃには、チャネル１、２、３、４の順に繰り返しデイジタルオーディオ信号を選択してサンプルデータ単位で１／ＦＳの周期ずつ位相を異ならせて時分割多重された時分割多重信号を形成するとともに、チャネル指定信号ＣＨＭ、ＣＨＬを付加し、時分割多重信号ＡＵＤ１を得るデータセレクタ１３が開示されている。
　
エ　「【００１７】分割処理回路１４では、かかる時分割多重信号ＡＵＤ１にパリティビットなどの冗長ビットが付加されて、入力端子１６０から入力されるディジタルビデオ信号のビット数ｎ２の整数倍のビット数とされ、しかる後、各サンプルデータがこのディジタルビデオ信号のビット数ｎ２ずつに分割される。図３（ｄ）はこのようにして得られた時分割多重信号ＡＵＤ２を示すが、ここでは、冗長ビットを付加された時分割多重信号ＡＵＤ１のビット数はディジタルビデオ信号のビット数ｎ２の３倍としており、かかる時分割多重信号ＡＵＤ１の各サンプルデータを３つに分割する場合を示している。このようにしてディジタルビデオ信号に等しいビット数ｎ２の時分割多重信号ＡＵＤ２が得られる。」との記載から、刊行物Ｃには、時分割多重信号ＡＵＤ１に冗長ビットを付加した後、ディジタルビデオ信号のビット数ｎ２ずつに分割してビット数ｎ２の時分割多重信号ＡＵＤ２を得る分割処理回路１４が開示されている。
　
オ　「【００１８】分割処理回路１４から出力されるかかる時分割多重信号ＡＵＤ２（図３（ｄ））は時間軸処理回路１５に供給される。時間軸処理回路１５は、例えば、メモリで構成されており、タイミング発生回路１１からの書込みリセット信号ＲＳＴ−Ｗに基づいてメモリへの時分割多重信号ＡＵＤ２の書込みを開始し、同じくタイミング発生回路１１からの読出しリセット信号ＲＳＴ−Ｒに基づいてメモリからの時分割多重信号ＡＵＤ２の読出しを開始する。この場合、書込みリセット信号ＲＳＴ−Ｗはディジタルオ−ディオ信号のサンプル周波数ＦＳに同期しており、時分割多重信号ＡＵＤ２におけるチャネル１（ＣＨ１）のディジタルオ−ディオ信号のサンプルデ−タから順にこのサンプル周波数ＦＳの１２倍の周波数でメモリに書き込まれる。そして、ディジタルビデオ信号のサンプル周波数Ｖｃｋに同期し、例えば書込みリセット信号ＲＳＴ−Ｗに対して１ライン分遅延れた読出しリセット信号ＲＳＴ−Ｒのタイミングを時間基準として、タイミング発生回路１１から出力される挿入エリア指示信号信号ＳＥＬ１の“Ｈ”期間、ディジタルビデオ信号のサンプル周波数Ｖｃｋと同じ周波数でメモリからほぼ１ライン分の時分割多重信号を読み出す。つまり、このメモリには順次時分割多重信号ＡＵＤ２が書き込まれるが、挿入エリア指示信号信号ＳＥＬ１の“Ｈ”期間毎にディジタルビデオ信号のサンプル周波数Ｖｃｋと同じ周波数でほぼ１ライン分のビツト数ｎ２のサンプルデータずつ時分割多重信号の読出しが行なわれる。これにより、時分割多重信号ＡＵＤ２のほぼ１ライン分ずつのサンプルデータは順次挿入エリア指示信号ＳＥＬ１の“Ｈ”期間が指示する入力ディジタルビデオ信号の水平同期エリアの所定期間内に時間軸圧縮され、このように時間軸圧縮されて間欠的となった時分割多重信号（間欠時分割多重信号）ＡＵＤ３が得られる。図３（ｅ）はこの間欠時分割多重信号ＡＵＤ３の一部を示している。」との記載から、刊行物Ｃには、順次時分割多重信号ＡＵＤ２をメモリに書き込み、挿入エリア指示信号信号ＳＥＬ１の“Ｈ”期間毎にディジタルビデオ信号のサンプル周波数Ｖｃｋと同じ周波数でほぼ１ライン分のビツト数ｎ２のサンプルデータずつ時分割多重信号を読出すことにより、時分割多重信号ＡＵＤ２のほぼ１ライン分ずつのサンプルデータを順次挿入エリア指示信号ＳＥＬ１の“Ｈ”期間が指示する入力ディジタルビデオ信号の水平同期エリアの所定期間内に時間軸圧縮し、このように時間軸圧縮して間欠的となった時分割多重信号（間欠時分割多重信号）ＡＵＤ３を得る時間軸処理回路１５が開示されている。
　
カ　「【００１９】時間軸処理回路１５から出力される間欠時分割多重信号ＡＵＤ３はデ−タセレクタ１２に供給される。このデ−タセレクタ１２は、通常、入力端子１６０からの入力ディジタルビデオ信号を選択して出力しているが、タイミング発生回路１１からの出力挿入エリア指示信号ＳＥＬ１が“Ｈ”になると、時間軸処理回路１５からの間欠時分割多重信号ＡＵＤ３を選択して出力する。これにより、間欠時分割多重信号ＡＵＤ３は入力ディジタルビデオ信号の水平同期エリアの挿入エリア指示信号ＳＥＬ１で指示される所定期間内に挿入され、図３（ｈ）に示すように、入力ディジタルビデオ信号に時分割多重信号が挿入された多重信号ＤＡＴＡが得られる。」との記載から、刊行物Ｃには、間欠時分割多重信号ＡＵＤ３を入力ディジタルビデオ信号の水平同期エリアの挿入エリア指示信号ＳＥＬ１で指示される所定期間内に挿入した多重信号ＤＡＴＡを得るデータセレクタ１２が開示されている。
　
キ　「【００２０】この出力多重信号ＤＡＴＡは、パラレル／シリアル変換回路１６に供給され、ビツト数ｎ２の各サンプルデータが例えば最下位ビットから１ビット単位で出力されるシリアルデ−タに変換され、ラインドライブ回路１７を介して出力端子２１０から出力されて伝送される。」との記載から、刊行物Ｃには、出力多重信号ＤＡＴＡをシリアルデータに変換するパラレル／シリアル変換回路１６、出力端子２１０から出力するラインドライブ回路１７が開示されている。
　
ク　「【００２１】次に、図１により、この実施例の受信系について説明する。…。【００２２】図１において、入力端子１００から入力される受信シリアルデ−タはシリアル／パラレル変換回路１に供給され、図２のデ−タセレクタ１２で得られるディジタルビデオ信号とディジタルオーディオ信号とが時分割多重されてなるビット数ｎ２の多重信号ＤＡＴＡ（図３（ｈ））に相当するパラレルの多重信号ＤＡＴＡ´が形成される。この多重信号ＤＡＴＡ´はオ−ディオ／ビデオ分離回路５と同期検出回路２とに供給される。」との記載から、刊行物Ｃには、受信系の入力端子から入力される受信シリアルデータをパラレルの多重信号ＤＡＴＡ´に変換し、オ−ディオ／ビデオ分離回路５と同期検出回路２とに供給するシリアル／パラレル変換回路１が開示されている。
　
ケ　「【００２３】同期検出回路２は多重信号ＤＡＴＡ´から水平、垂直同期信号を検出し、タイミング発生回路３に供給する。タイミング発生回路３は、これら水平、垂直同期信号に基づいて、ディジタルオ−ディオデータのサンプル周波数ＦＳに等しい周波数の信号（以下、ＦＳ信号という）、このＦＳ信号の２倍の周波数の信号（以下、２ＦＳ信号という）、このＦＳ信号の４倍の周波数の信号（以下、４ＦＳ信号という）、この４ＦＳ信号の整数倍の周波数の読出しクロックＡｃｋ、及び図２のタイミング発生回路１１で生成される上記挿入エリア指示信号ＳＥＬ１に相当し、シリアル／パラレル変換回路１から出力される多重信号ＤＡＴＡ´でのディジタルオーディオ信号等の間欠時分割多重信号の挿入期間を指示する挿入エリア指示信号ＳＥＬ１´を生成する。ＦＳ信号、２ＦＳ信号、４ＦＳ信号及び読出しクロックＡｃｋはメモリコントロ−ル回路４に供給され、また、４ＦＳ信号はオ−ディオデ−タ処理回路８に、挿入エリア指示信号ＳＥＬ１´はオーディオ／ビデオ分離回路５に夫々供給される。」との記載から、多重信号ＤＡＴＡ´から水平、垂直同期信号を検出してタイミング発生回路３に供給する同期検出回路２が開示され、また、水平、垂直同期信号から、挿入エリア指示信号ＳＥＬ１´等のタイミング信号を発生し、オーディオ／ビデオ分離回路５等に供給するタイミング発生回路３が開示されている。
　
コ　「【００２４】オーディオ／ビデオ分離回路５では、挿入エリア指示信号ＳＥＬ１´により、シリアル／パラレル変換回路１からの多重信号ＤＡＴＡ´からサンプル周波数がＶｃｋでビット数ｎ２のディジタルビデオ信号と同じくサンプル周波数がＶｃｋでビット数ｎ２の間欠時分割多重信号とに分離される。このとき、ディジタルビデオ信号では、間欠時分割多重信号が挿入されていたエリアに元のデ−タ（ここでは、この挿入エリアは水平同期信号内のエリアであるから、そのエリアに水平同期信号のレベルのデ−タ）が置き換えされる。このディジタルビデオ信号は出力端子１１０から外部に出力される。【００２５】一方、オーディオ／ビデオ分離回路５で分離された間欠時分割多重信号は３サンプル合成回路６に供給され、ビット数ｎ２のサンプルデータを３つずつ合成してビット数が元の（ｎ１＋２）でサンプル周波数がＶｃｋ／３の間欠時分割多重信号が形成される。この３サンプル合成回路６からの出力される間欠時分割多重信号はメモリ７で時間軸処理され、図２の分割処理回路１４に入力される時分割多重信号ＡＵＤ１と同様のビット数（ｎ１＋２）の時間軸上で連続した時分割多重信号が得られる…。」との記載から、多重信号ＤＡＴＡ´を、サンプル周波数がＶｃｋでビット数ｎ２のディジタルビデオ信号と同じくサンプル周波数がＶｃｋでビット数ｎ２の間欠時分割多重信号とに分離し、ディジタルビデオ信号を出力端子１１０から外部に出力するとともに、前記間欠時分割多重信号を３サンプル合成回路６に供給するオーディオ／ビデオ分離回路５が開示されている。また、ビット数が元の（ｎ１＋２）でサンプル周波数がＶｃｋ／３の間欠時分割多重信号を形成し、メモリ７で時間軸処理し、ＡＵＤ１と同様のビット数（ｎ１＋２）の時間軸上で連続した時分割多重信号を得る３サンプル合成回路６が開示されている。
　
サ　「【００３０】メモリ７から出力される時分割多重信号はオーディオデータ処理回路８に供給される。このオーディオデータ処理回路８は、供給される時分割多重信号でのディジタルオーディオ信号のチャンネル数を判定し、この判定結果に応じたイネーブルゲート信号ＧＰを形成してメモリコントロール回路４に送り、読出しイネーブル信号ＲＥの周波数をこのディジタルオーディオ信号のチャンネル数に応じて制御し、このチャンネル数に変化があってもメモリ７から各チャンネルのディジタルデータが正しく読み出されるようにする。
【００３１】オーディオデータ処理回路８から出力される後述の時分割多重信号ＡＵＤ２´はオーディオチヤンネル分離回路９に供給され、それに付加されているチャンネル指示信号ＣＨＭ、ＣＨＬにより、ディジタルオーディオデータがチャンネル毎に分離され、夫々のチャンネルのサンプル周波数ＦＳ、ビット数ｎ１のディジタルオーディオ信号が別々に得られる。そして、チャネル１（ＣＨ１）のディジタルオーディオ信号は出力端子１２０から、チャネル２（ＣＨ２）のディジタルオーディオ信号は出力端子１３０から、チャネル３（ＣＨ３）のディジタルオーディオ信号は出力端子１４０から、チャネル４（ＣＨ４）のディジタルオーディオ信号出力端子１５０から夫々出力される。」との記載から、付加されているチャンネル指示信号ＣＨＭ、ＣＨＬにより、ディジタルオーディオデータをチャンネル毎に分離し、チャネル１（ＣＨ１）のディジタルオーディオ信号を出力端子１２０から、チャネル２（ＣＨ２）のディジタルオーディオ信号を出力端子１３０から、チャネル３（ＣＨ３）のディジタルオーディオ信号を出力端子１４０から、チャネル４（ＣＨ４）のディジタルオーディオ信号を出力端子１５０から夫々出力するオーディオチヤンネル分離回路９が開示されている。
　
４−２−２　引用発明の認定
　上記「４−２−１　ア」〜「４−２−１　サ」から、刊行物Ｃには、以下の発明が記載されている。
　
「デジタルビデオ信号と４チャンネルのデジタルオーディオ信号とを含む多重信号を出力する送信系と受信系からなるディジタル信号伝送装置であって、
　前記多重信号は、１本の伝送路で伝送され、
　前記送信系は、
　ディジタルビデオ信号が入力されるディジタル信号伝送装置の送信系の入力端子１６０と、
　夫々チャネル１（ＣＨ１）、チャネル２（ＣＨ２）、チャネル３（ＣＨ３）、チャネル４（ＣＨ４）のディジタルオーディオ信号が入力されるディジタル信号伝送装置の送信系の入力端子１７０、１８０、１９０、２００と、
　チャネル１、２、３、４の順に繰り返しデイジタルオーディオ信号を選択してサンプルデータ単位で１／ＦＳの周期ずつ位相を異ならせて時分割多重された時分割多重信号を形成するとともに、チャネル指定信号ＣＨＭ、ＣＨＬを付加し、時分割多重信号ＡＵＤ１を得るデータセレクタ１３と、
　時分割多重信号ＡＵＤ１に冗長ビットを付加した後、ディジタルビデオ信号のビット数ｎ２ずつに分割してビット数ｎ２の時分割多重信号ＡＵＤ２を得る分割処理回路１４と、
　順次時分割多重信号ＡＵＤ２をメモリに書き込み、挿入エリア指示信号信号ＳＥＬ１の“Ｈ”期間毎にディジタルビデオ信号のサンプル周波数Ｖｃｋと同じ周波数でほぼ１ライン分のビツト数ｎ２のサンプルデータずつ時分割多重信号を読出すことにより、時分割多重信号ＡＵＤ２のほぼ１ライン分ずつのサンプルデータを順次挿入エリア指示信号ＳＥＬ１の“Ｈ”期間が指示する入力ディジタルビデオ信号の水平同期エリアの所定期間内に時間軸圧縮し、このように時間軸圧縮して間欠的となった時分割多重信号（間欠時分割多重信号）ＡＵＤ３を得る時間軸処理回路１５と、
　間欠時分割多重信号ＡＵＤ３を入力ディジタルビデオ信号の水平同期エリアの挿入エリア指示信号ＳＥＬ１で指示される所定期間内に挿入した多重信号ＤＡＴＡを得るデータセレクタ１２と、
　出力多重信号ＤＡＴＡをシリアルデータに変換するパラレル／シリアル変換回路１６と、
　出力端子２１０から出力するラインドライブ回路１７とを含み、
　前記受信系は、　
　ディジタル信号伝送装置の受信系の入力端子から入力される受信シリアルデータをパラレルの多重信号ＤＡＴＡ´に変換し、オ−ディオ／ビデオ分離回路５と同期検出回路２とに供給するシリアル／パラレル変換回路１と、
　多重信号ＤＡＴＡ´から水平、垂直同期信号を検出してタイミング発生回路３に供給する同期検出回路２と、
　水平、垂直同期信号から、挿入エリア指示信号ＳＥＬ１´等のタイミング信号を発生し、オーディオ／ビデオ分離回路５等に供給するタイミング発生回路３と、
　多重信号ＤＡＴＡ´を、サンプル周波数がＶｃｋでビット数ｎ２のディジタルビデオ信号と同じくサンプル周波数がＶｃｋでビット数ｎ２の間欠時分割多重信号とに分離し、ディジタルビデオ信号を出力端子１１０から外部に出力するとともに、前記間欠時分割多重信号を３サンプル合成回路６に供給するオーディオ／ビデオ分離回路５と、
　ビット数が元の（ｎ１＋２）でサンプル周波数がＶｃｋ／３の間欠時分割多重信号を形成し、メモリ７で時間軸処理し、ＡＵＤ１と同様のビット数（ｎ１＋２）の時間軸上で連続した時分割多重信号を得る３サンプル合成回路６と、
　付加されているチャンネル指示信号ＣＨＭ、ＣＨＬにより、ディジタルオーディオデータをチャンネル毎に分離し、チャネル１（ＣＨ１）のディジタルオーディオ信号を出力端子１２０から、チャネル２（ＣＨ２）のディジタルオーディオ信号を出力端子１３０から、チャネル３（ＣＨ３）のディジタルオーディオ信号を出力端子１４０から、チャネル４（ＣＨ４）のディジタルオーディオ信号を出力端子１５０から夫々出力するオーディオチヤンネル分離回路９と
　を備えるディジタル信号伝送装置。」（以下「引用発明という。）
　
５　対比・判断
　本願発明と引用発明を対比する。
ア　引用発明の「デジタルビデオ信号」、「４チャンネルのデジタルオーディオ信号」は、それぞれ、本願発明の「映像信号」、「複数チャンネルの音響信号」に相当するから、引用発明の「デジタルビデオ信号と４チャンネルのデジタルオーディオ信号とを含む多重信号を出力する送信系」は、本願発明の「少なくとも１組の映像信号と複数チャンネルの音響信号とを含む信号を出力する供給源」に相当する。
　
イ　本願発明の「前記供給源に接続されている画像表示部」と、引用発明の「受信系」とを対比する。引用発明は、「送信系」が出力する「多重信号」を「１本の伝送路」で「受信系」に伝送する装置であるから、「受信系」は「送信系」に接続されていると言える。
　また、本願発明の「画像表示部」は、「供給源」に接続され、「供給源」から「信号」が伝送されていることから、前記「画像表示部」が「供給源」からの「信号」を受信する受信部を備えていることは、技術的に明らかである。そして、上記アの相当関係を併せると、本願発明の「前記供給源に接続されている画像表示部」と、引用発明の「受信系」は、「前記供給源に接続されている受信部」の点で一致する。
　
ウ　本願発明の「前記信号は一対の信号線により伝送され、」と引用発明の「前記多重信号は、１本の伝送路で伝送され、」とを対比する。引用発明の「多重信号」は、本願発明の「信号」に相当する。そして、引用発明の「伝送路」について技術常識を参酌すると、「伝送路」は、一般に、情報や電力の伝送のために使用される媒体を意味し、伝送路の具体的な種類（例えば、光ケーブル、同軸ケーブル、ツイストペアケーブルなど）まで意味するものではない。そうすると、本願発明の「前記信号は一対の信号線により伝送され、」と、引用発明の「前記多重信号は、１本の伝送路で伝送され、」は、「前記信号は伝送路により伝送され、」の点で一致する。
　
エ　本願発明の「前記複数チャンネルの音響信号を、それぞれ位相を異ならせて、前記映像信号の水平ブランキング期間に重畳することにより、前記映像信号と前記複数チャンネルの音響信号とを多重化する多重化手段」と、引用発明の「ディジタルビデオ信号が入力されるディジタル信号伝送装置の送信系の入力端子１６０と、
　夫々チャネル１（ＣＨ１）、チャネル２（ＣＨ２）、チャネル３（ＣＨ３）、チャネル４（ＣＨ４）のディジタルオーディオ信号が入力されるディジタル信号伝送装置の送信系の入力端子１７０、１８０、１９０、２００と、
　チャネル１、２、３、４の順に繰り返しデイジタルオーディオ信号を選択してサンプルデータ単位で１／ＦＳの周期ずつ位相を異ならせて時分割多重された時分割多重信号を形成するとともに、チャネル指定信号ＣＨＭ、ＣＨＬを付加し、時分割多重信号ＡＵＤ１を得るデータセレクタ１３と、
　時分割多重信号ＡＵＤ１に冗長ビットを付加した後、ディジタルビデオ信号のビット数ｎ２ずつに分割してビット数ｎ２の時分割多重信号ＡＵＤ２を得る分割処理回路１４と、
　順次時分割多重信号ＡＵＤ２をメモリに書き込み、挿入エリア指示信号信号ＳＥＬ１の“Ｈ”期間毎にディジタルビデオ信号のサンプル周波数Ｖｃｋと同じ周波数でほぼ１ライン分のビツト数ｎ２のサンプルデータずつ時分割多重信号を読出すことにより、時分割多重信号ＡＵＤ２のほぼ１ライン分ずつのサンプルデータを順次挿入エリア指示信号ＳＥＬ１の“Ｈ”期間が指示する入力ディジタルビデオ信号の水平同期エリアの所定期間内に時間軸圧縮し、このように時間軸圧縮して間欠的となった時分割多重信号（間欠時分割多重信号）ＡＵＤ３を得る時間軸処理回路１５と、
　間欠時分割多重信号ＡＵＤ３を入力ディジタルビデオ信号の水平同期エリアの挿入エリア指示信号ＳＥＬ１で指示される所定期間内に挿入した多重信号ＤＡＴＡを得るデータセレクタ１２と、
　出力多重信号ＤＡＴＡをシリアルデータに変換するパラレル／シリアル変換回路１６」とを対比する。
　引用発明は、「データセレクタ１３」が「チャネル１（ＣＨ１）、チャネル２（ＣＨ２）、チャネル３（ＣＨ３）、チャネル４（ＣＨ４）のディジタルオーディオ信号」をそれぞれ位相を異ならせて「時分割多重信号」を形成し、「時間軸処理回路１５」が該「時分割多重信号」を時間軸圧縮し、「データセレクタ１２」が「デジタルビデオ信号」の「水平同期エリア」に、時間軸圧縮した前記「時分割多重信号」を挿入することにより、「ディジタルビデオ信号」と「チャネル１（ＣＨ１）、チャネル２（ＣＨ２）、チャネル３（ＣＨ３）、チャネル４（ＣＨ４）のディジタルオーディオ信号」とを多重化した「多重信号ＤＡＴＡ」を得るものである。
　そして、引用発明の「チャネル１（ＣＨ１）、チャネル２（ＣＨ２）、チャネル３（ＣＨ３）、チャネル４（ＣＨ４）のディジタルオーディオ信号」が本願発明の「複数チャンネルの音響信号」に相当し、以下、同様に、「デジタルビデオ信号」が「映像信号」に、「水平同期エリア」が「水平ブランキング期間」にそれぞれ相当する。
　してみると、引用発明の「ディジタルビデオ信号が入力されるディジタル信号伝送装置の送信系の入力端子１６０と、
　夫々チャネル１（ＣＨ１）、チャネル２（ＣＨ２）、チャネル３（ＣＨ３）、チャネル４（ＣＨ４）のディジタルオーディオ信号が入力されるディジタル信号伝送装置の送信系の入力端子１７０、１８０、１９０、２００と、
　チャネル１、２、３、４の順に繰り返しデイジタルオーディオ信号を選択してサンプルデータ単位で１／ＦＳの周期ずつ位相を異ならせて時分割多重された時分割多重信号を形成するとともに、チャネル指定信号ＣＨＭ、ＣＨＬを付加し、時分割多重信号ＡＵＤ１を得るデータセレクタ１３と、
　時分割多重信号ＡＵＤ１に冗長ビットを付加した後、ディジタルビデオ信号のビット数ｎ２ずつに分割してビット数ｎ２の時分割多重信号ＡＵＤ２を得る分割処理回路１４と、
　順次時分割多重信号ＡＵＤ２をメモリに書き込み、挿入エリア指示信号信号ＳＥＬ１の“Ｈ”期間毎にディジタルビデオ信号のサンプル周波数Ｖｃｋと同じ周波数でほぼ１ライン分のビツト数ｎ２のサンプルデータずつ時分割多重信号を読出すことにより、時分割多重信号ＡＵＤ２のほぼ１ライン分ずつのサンプルデータを順次挿入エリア指示信号ＳＥＬ１の“Ｈ”期間が指示する入力ディジタルビデオ信号の水平同期エリアの所定期間内に時間軸圧縮し、このように時間軸圧縮して間欠的となった時分割多重信号（間欠時分割多重信号）ＡＵＤ３を得る時間軸処理回路１５と、
　間欠時分割多重信号ＡＵＤ３を入力ディジタルビデオ信号の水平同期エリアの挿入エリア指示信号ＳＥＬ１で指示される所定期間内に挿入した多重信号ＤＡＴＡを得るデータセレクタ１２と、
　出力多重信号ＤＡＴＡをシリアルデータに変換するパラレル／シリアル変換回路１６」は、本願発明の「前記複数チャンネルの音響信号を、それぞれ位相を異ならせて、前記映像信号の水平ブランキング期間に重畳することにより、前記映像信号と前記複数チャンネルの音響信号とを多重化する多重化手段」に相当する。
　
オ　本願発明の「前記多重化手段で多重化した多重化信号を出力する出力手段」と引用発明の「出力端子２１０から出力するラインドライブ回路１７」を対比する。
　引用発明の「ラインドライブ回路１７」は、デジタルビデオ信号と複数チャネルのデジタルオーディオ信号とを多重化した「多重信号ＤＡＴＡ」をシリアルデータに変換した信号を、出力端子２１０から出力する回路である。したがって、引用発明の「出力端子２１０から出力するラインドライブ回路１７」は、本願発明の「前記多重化手段で多重化した多重化信号を出力する出力手段」に相当する。
　
カ　本願発明の「前記出力手段より出力される多重化信号を入力する入力手段」と引用発明の「ディジタル信号伝送装置の受信系の入力端子から入力される受信シリアルデータをパラレルの多重信号ＤＡＴＡ´に変換し、オ−ディオ／ビデオ分離回路５と同期検出回路２とに供給するシリアル／パラレル変換回路１」とを対比する。
　引用発明の「シリアル／パラレル変換回路１」は、デジタルビデオ信号と複数チャネルのデジタルオーディオ信号とを多重化した「多重信号ＤＡＴＡ」をシリアルデータに変換して伝送された信号である「受信シリアルデータ」として「入力端子」から入力しているから、本願発明の「前記出力手段より出力される多重化信号を入力する入力手段」に相当する。
　
キ　本願発明の「前記入力手段で入力した多重化信号を対応する映像信号及び音響信号に復元する復元手段」と引用発明の「多重信号ＤＡＴＡ´から水平、垂直同期信号を検出してタイミング発生回路３に供給する同期検出回路２と、
　水平、垂直同期信号から、挿入エリア指示信号ＳＥＬ１´等のタイミング信号を発生し、オーディオ／ビデオ分離回路５等に供給するタイミング発生回路３と、
　多重信号ＤＡＴＡ´を、サンプル周波数がＶｃｋでビット数ｎ２のディジタルビデオ信号と同じくサンプル周波数がＶｃｋでビット数ｎ２の間欠時分割多重信号とに分離し、ディジタルビデオ信号を出力端子１１０から外部に出力するとともに、前記間欠時分割多重信号を３サンプル合成回路６に供給するオーディオ／ビデオ分離回路５と、
　ビット数が元の（ｎ１＋２）でサンプル周波数がＶｃｋ／３の間欠時分割多重信号を形成し、メモリ７で時間軸処理し、ＡＵＤ１と同様のビット数（ｎ１＋２）の時間軸上で連続した時分割多重信号を得る３サンプル合成回路６と、
　付加されているチャンネル指示信号ＣＨＭ、ＣＨＬにより、ディジタルオーディオデータをチャンネル毎に分離し、チャネル１（ＣＨ１）のディジタルオーディオ信号を出力端子１２０から、チャネル２（ＣＨ２）のディジタルオーディオ信号を出力端子１３０から、チャネル３（ＣＨ３）のディジタルオーディオ信号を出力端子１４０から、チャネル４（ＣＨ４）のディジタルオーディオ信号を出力端子１５０から夫々出力するオーディオチヤンネル分離回路９」とを対比する。
　引用発明は、「オーディオ／ビデオ分離回路５」が、デジタルビデオ信号と複数チャネルのデジタルオーディオ信号とを多重化した「多重信号ＤＡＴＡ」をシリアルデータに変換して伝送された信号である「受信シリアルデータ」をパラレルの多重信号ＤＡＴＡ´に変換した信号から、「ディジタルビデオ信号」と「間欠時分割多重信号」に分離し、「３サンプル合成回路６」、「オーディオチヤンネル分離回路９」が前記「間欠時分割多重信号」からディジタルオーディオデータをチャンネル毎に分離し、出力端子１５０から出力している。
　そうすると、引用発明の「多重信号ＤＡＴＡ´から水平、垂直同期信号を検出してタイミング発生回路３に供給する同期検出回路２と、
　水平、垂直同期信号から、挿入エリア指示信号ＳＥＬ１´等のタイミング信号を発生し、オーディオ／ビデオ分離回路５等に供給するタイミング発生回路３と、
　多重信号ＤＡＴＡ´を、サンプル周波数がＶｃｋでビット数ｎ２のディジタルビデオ信号と同じくサンプル周波数がＶｃｋでビット数ｎ２の間欠時分割多重信号とに分離し、ディジタルビデオ信号を出力端子１１０から外部に出力するとともに、前記間欠時分割多重信号を３サンプル合成回路６に供給するオーディオ／ビデオ分離回路５と、
　ビット数が元の（ｎ１＋２）でサンプル周波数がＶｃｋ／３の間欠時分割多重信号を形成し、メモリ７で時間軸処理し、ＡＵＤ１と同様のビット数（ｎ１＋２）の時間軸上で連続した時分割多重信号を得る３サンプル合成回路６と、
　付加されているチャンネル指示信号ＣＨＭ、ＣＨＬにより、ディジタルオーディオデータをチャンネル毎に分離し、チャネル１（ＣＨ１）のディジタルオーディオ信号を出力端子１２０から、チャネル２（ＣＨ２）のディジタルオーディオ信号を出力端子１３０から、チャネル３（ＣＨ３）のディジタルオーディオ信号を出力端子１４０から、チャネル４（ＣＨ４）のディジタルオーディオ信号を出力端子１５０から夫々出力するオーディオチヤンネル分離回路９」は、本願発明の「前記入力手段で入力した多重化信号を対応する映像信号及び音響信号に復元する復元手段」に相当する。
　
ク　本願発明の「画像表示制御システム」と、引用発明の「ディジタル信号伝送装置」とを対比する。　
　本願発明の「画像表示システム」は、少なくとも１組の映像信号と複数チャンネルの音響信号とを含む信号を供給源から画像表示部に伝送して画像を表示するシステムであるから、本願発明の「画像表示制御システム」と引用発明の「ディジタル信号伝送装置」は、信号を伝送する装置の点で一致する。
　
　してみると、本願発明と引用発明とは、
「　少なくとも１組の映像信号と複数チャンネルの音響信号とを含む信号を出力する供給源と、前記供給源に接続されている受信部とを備える信号を伝送する装置であって、
　前記信号は伝送路により伝送され、
　前記供給源は、
　前記複数チャンネルの音響信号を、それぞれ位相を異ならせて、前記映像信号の水平ブランキング期間に重畳することにより、前記映像信号と前記複数チャンネルの音響信号とを多重化する多重化手段と、
　前記多重化手段で多重化した多重化信号を出力する出力手段とを含み、
　前記受信部は、
　前記出力手段より出力される多重化信号を入力する入力手段と、
　前記入力手段で入力した多重化信号を対応する映像信号及び音響信号に復元する復元手段と、
　を備える信号を伝送する装置。」
の点で一致し、以下の点で相違する。
　
（相違点１）本願発明の対象は、「画像表示制御システム」であり、受信部が「画像表示部」であって、「前記復元手段で復元した映像信号に基づく映像を表示する表示手段と、前記復元手段で復元した複数チャンネルの音響信号に対応して音響出力する複数の音響出力手段」を備えるのに対し、引用発明の対象は、「デジタル信号伝送装置」であり、受信部が「受信系」であって、受信系が復元したデジタルビデオ信号に基づく映像を表示する表示手段を備えるのか否か不明であり、また、受信系が復元した複数チャネルのデジタルオーディオ信号に対応して音響出力する複数の音響出力手段を備えるのか否か不明である点
。
　
（相違点２）
　供給源から受信部に信号を伝送する伝送路が、本願発明では「一対の信号線」であるのに対し、引用発明では、伝送路の種類が不明である点。
　
　以下、上記相違点について検討する。
（相違点１についての検討）
　映像信号と複数チャンネルの音響信号を伝送し、表示手段に表示するとともに、音響出力手段から音響出力する画像表示制御システムは、ビデオデッキが接続されたテレビジョン受像器に代表されるよう、周知のシステムである。したがって、引用発明の受信系に表示手段と複数の音響出力手段を具備させ、上記周知の画像表示制御システムとして構成することは、当業者が容易に想到し得ることである。
　
（相違点２についての検討）
　映像信号を画像表示装置に供給する際、伝送線路として「一対の信号線」を採用することは、例えば、特開平１１−１８０６８号公報（段落【０００５】には、「表示装置には、パラレルからシリアルに変換された映像データがツイストペアのケーブルを介して与えられる。」と記載されている。ここで、「ツイストペアのケーブル」が本願発明の「一対の信号線」に相当する。）に記載されるよう周知技術である。
　したがって、引用発明に上記周知技術を採用し、供給源から受信部に信号を伝送する伝送路に上記周知の「一対の信号線」を採用し、上記（相違点２）に係る構成と為すことは、当業者が容易に想到し得たことである。
　
　そして、本願発明が奏する作用効果も、引用発明と上記周知技術とに基いて当業者が予測し得る程度のものにすぎない。
　
　したがって、本願発明は、引用発明と周知技術とに基いて当業者が容易に発明をすることができたものである。
　
６　むすび
　以上のとおり、本願発明は、上記当審拒絶理由通知で引用した刊行物Ｃに記載された発明と周知技術とに基いて、当業者が容易に発明をすることができたものであるから、特許法第２９条第２項の規定により特許を受けることができない。
　したがって、本願は、その余の請求項について検討するまでもなく、拒絶すべきものである。
　
　よって、結論のとおり審決する。